(57)【要約】      （修正有）【課題】薄く軟らかい貼り付け部材の被貼付部材への貼付方法の提供。【解決手段】情報処理装置製造時に、被貼付部材１００への接着面と、被貼付部材への貼付位置に基づく形状で成形された保持部材４０と接着している接着面とを有する貼付部材１０と、保持部材の載置位置を定める第１の位置決め手段と、被貼付部材の貼付部材に対する貼付位置までのガイドとなる第２の位置決め手段とを有する治具とを用いて、治具に、第１の位置決め手段を使用して、貼付部材ごと保持部材を載置し、治具に、第２の位置決め手段を使用して、被貼付部材を貼付完了位置まで押しつけ、治具から貼付部材ごと被貼付部材を外して保持部材を除去する。【選択図】図５
2010241865.tif 000002
【特許請求の範囲】
【請求項１】
被貼付部材への接着面と、前記被貼付部材への貼付位置に基づく形状で成形された保持部材と接着している接着面とを有する貼付部材と、
前記保持部材の載置位置を定める第１の位置決め手段と、前記被貼付部材の前記貼付部材に対する貼付位置までのガイドとなる第２の位置決め手段とを有する治具と
を用いて、
前記治具に、前記第１の位置決め手段を使用して、前記貼付部材ごと前記保持部材を載置し、
前記治具に、前記第２の位置決め手段を使用して、前記被貼付部材を貼付完了位置まで押し付け、
前記治具から前記貼付部材ごと前記被貼付部材を外して保持部材を除去する
ことを特徴とする情報処理装置製造時の貼付部材の貼付方法。
【請求項２】
前記被貼付部材及び／又は前記貼付部材への接着面と、前記被貼付部材及び／又は前記貼付部材への貼付位置に基づく形状で成形された第２の保持部材と接着している接着面とを有する前記貼付部材に重ねて貼り付けられる第２の貼付部材と、
前記治具に、前記第２の保持部材の載置位置を定める第３の位置決め手段を設け、
前記第２の位置決め手段は、前記被貼付部材及び／又は前記貼付部材の前記第２の貼付部材に対する貼付位置までのガイドとなり、
前記被貼付部材に前記貼付部材を貼付後、前記治具に、前記第３の位置決め手段を使用して、前記第２の貼付部材ごと前記第２の保持部材を載置し、
前記治具に、前記第２の位置決め手段を使用して、前記貼付部材が貼り付けられた被貼付部材を貼付完了位置まで押し付け、
前記治具から前記第２の貼付部材ごと前記被貼付部材を外して保持部材を除去する
ことを特徴とする請求項１記載の貼付部材の貼付方法。
【請求項３】
被貼付部材への接着面となる第１の接着面と、前記第１の接着面による前記貼付部材との接着力より弱い接着力で、前記被貼付部材への貼付位置に基づく形状で成形された保持部材と接着している第２の接着面とを有する薄型貼付部材と、
前記保持部材の載置位置を定める第１の位置決め手段と、前記第１の位置決め手段で定まる前記保持部材の載置位置から定まる前記薄型貼付部材の位置に基づき、前記被貼付部材の前記薄型貼付部材に対する貼付完了位置までのガイドとなる第２の位置決め手段とを有する治具と、
を用いて、
前記治具に、前記第１の位置決め手段を使用して、前記保持部材が貼り付けられた前記薄型貼付部材を載置し、
前記治具に、前記第２の位置決め手段を使用して、前記被貼付部材を貼付完了位置まで押し付けることにより、前記被貼付部材に、前記薄型貼付部材の第１の接着面を貼り付け、
前記治具から前記被貼付部材及び前記保持部材が貼り付けられた前記薄型貼付部材を外し、
前記薄型貼付部材の第２の接着面から前記保持部材を剥がす
ことを特徴とする情報処理装置製造時の薄型貼付部材の貼付方法。
【請求項４】
前記治具の前記第１の位置決め手段は、前記保持部材に設ける位置決め穴に対応させた前記治具の前記保持部材が載置される面上に設けられた突起を用いることを特徴とする請求項３記載の薄型貼付部材の貼付方法。
【請求項５】
前記治具の前記第２の位置決め手段は、前記治具の形状を、前記被貼付部材の側面をガイドする形状に形成して用いることを特徴とする請求項３又は４に記載の薄型貼付部材の貼付方法。
【請求項６】
前記治具の前記第２の位置決め手段は、前記治具の形状を、前記被貼付部材の内側面又は外側面をガイドする形状に形成して用いることを特徴とする請求項３又は４に記載の薄型貼付部材の貼付方法。
【請求項７】
前記治具の前記第２の位置決め手段は、前記治具の形状を、前記被貼付部材の外側面と内側面の組合せをガイドする形状に形成して用いることを特徴とする請求項３又は４に記載の薄型貼付部材の貼付方法。
【請求項８】
前記治具の前記保持部材の載置面をアーチ形状に形成して用いることを特徴とする請求項３ないし７の何れか一記載の薄型貼付部材の貼付方法。
【請求項９】
前記治具の前記保持部材の載置面を、前記被貼付部材の内側に挿入可能な縮小形状と、前記薄型貼付部材を前記被貼付部材に貼り付ける位置に配置する展開形状とに可動可能に形成し、
前記保持部材が貼り付けられた前記薄型貼付部材を載置後、前記治具を縮小形状の状態で前記被貼付部材の内側に挿入し、
挿入後に前記治具を展開形状の状態として、前記第２の位置決め手段を使用して、前記治具に前記被貼付部材を貼付完了位置まで押し付ける
ことを特徴とする請求項３ないし８の何れか一記載の薄型貼付部材の貼付方法。
【請求項１０】
前記被貼付部材及び／又は前記薄型貼付部材への第１の接着面と、前記被貼付部材及び／又は前記薄型貼付部材への貼付位置に基づく形状で成形された第２の保持部材と接着している第２の接着面とを有する前記薄型貼付部材に重ねて貼り付けられる第２の薄型貼付部材と、
前記治具に、前記第２の保持部材の載置位置を定める第３の位置決め手段を設け、
前記第２の位置決め手段は、前記被貼付部材及び／又は前記薄型貼付部材の前記第２の薄型貼付部材に対する貼付位置までのガイドとなり、
前記被貼付部材に前記薄型貼付部材を貼付後、前記治具に、前記第３の位置決め手段を使用して、前記第２の保持部材が貼り付けられた前記第２の薄型貼付部材を載置し、
前記治具に、前記第２の位置決め手段を使用して、前記薄型貼付部材が貼り付けられた被貼付部材を第２の貼付完了位置まで押し付けることにより、前記被貼付部材に、前記第２の薄型貼付部材の第１の接着面を貼り付け、
前記治具から前記被貼付部材及び前記第２の保持部材が貼り付けられた前記第２の薄型貼付部材を外し、
前記第２の薄型貼付部材の第２の接着面から前記第２の保持部材を剥がす
ことを特徴とする請求項３ないし９の何れか一記載の薄型貼付部材の貼付方法。
【請求項１１】
前記薄型貼付部材及び／又は第２の薄型貼付部材がそれぞれの保持部材と接着している第２の接着面の接着力の調整に、前記薄型貼付部材及び／又は第２の薄型貼付部材とそれぞれの保持部材との剥離開始位置となる端部に、接着面に塗布する微粘着材を塗布しない非塗布部を設けて、
所定の方向から、前記薄型貼付部材の第２の接着面及び／又は第２の薄型貼付部材の第２の接着面からそれぞれの保持部材を剥がしやすくする
ことを特徴とする請求項３ないし１０の何れか一記載の薄型貼付部材の貼付方法。
【請求項１２】
被貼付部材への接着面と、前記被貼付部材への貼付位置に基づく形状で成形された保持部材と接着している接着面とを有する貼付部材を、前記保持部材ごと載置可能とすると共に、前記被貼付部材が貼付完了位置まで押し付けられて、前記貼付部材が前記被貼付部材に貼り付くときの台座となる載置面と、
前記保持部材を前記載置面での所定の位置に固定的に保持する第１の位置決め手段と、
前記被貼付部材の前記貼付部材に対する貼付位置までのガイドとなる第２の位置決め手段と
を有することを特徴とする情報処理装置の生産治具。
【請求項１３】
前記載置面は、前記被貼付部材に対する貼付部材の貼付位置に基づく形状を成す複数種類の保持部材に対応する形状を成し、
前記第１の位置決め手段は、前記複数種類の保持部材を、固定的に保持可能とする
ことを特徴とする請求項１２記載の生産治具。
【請求項１４】
被貼付部材への接着面となる第１の接着面と、前記第１の接着面による前記貼付部材との接着力より弱い接着力で、前記被貼付部材への貼付位置に基づく形状で成形された保持部材と接着している第２の接着面とを有する薄型貼付部材を、前記保持部材を用いて載置可能とすると共に、前記被貼付部材が貼付完了位置まで押し付けられて、前記薄型貼付部材の第１の接着面が前記被貼付部材に貼り付くときの台座となる載置面と、
前記保持部材を保持することによって、前記第２の接着面を介して張付いている前記薄型貼付部材を、前記被貼付部材の貼付完了位置における貼り付け位置に保持する第１の位置決め手段と、
前記第１の位置決め手段で定まる前記保持部材の載置位置から定まる前記薄型貼付部材の位置に基づき、前記被貼付部材の前記薄型貼付部材に対する貼付完了位置までのガイドとなる第２の位置決め手段と
を有することを特徴とする情報処理装置の生産治具。
【請求項１５】
前記第１の位置決め手段は、前記保持部材に設けられた位置決め穴に対応した前記載置面上に設けられた突起を用いる
ことを特徴とする請求項１４記載の生産治具。
【請求項１６】
前記第２の位置決め手段は、前記被貼付部材の形状に対応させて、前記被貼付部材を接触させながら前記貼付完了位置までスライド可能な形状である
ことを特徴とする請求項１４又は１５に記載の生産治具。
【請求項１７】
前記載置面を、前記被貼付部材に対する曲面への薄型貼付部材の貼り付け位置に対応させて、アーチ形状に形成する
ことを特徴とする請求項１４ないし１６の何れか一記載の生産治具。
【請求項１８】
前記載置面に、空気抜き手段を設ける
ことを特徴とする請求項１４ないし１７の何れか一記載の生産治具。
【請求項１９】
前記載置面を、前記被貼付部材の内側に挿入可能な縮小形状と、前記薄型貼付部材を前記被貼付部材に貼り付ける位置に配置する展開形状とに可動可能に形成し、
前記保持部材が貼り付けられた前記薄型貼付部材を載置後、前記治具を縮小形状の状態で前記被貼付部材の内側に挿入して、挿入後に前記治具を展開形状の状態として、前記第２の位置決め手段を使用して、前記治具に前記被貼付部材を貼付完了位置まで押し付けることを可能とする
ことを特徴とする請求項１４ないし１８の何れか一記載の生産治具。
【請求項２０】
前記載置面は、前記被貼付部材に対する第１の貼付部材の貼付位置に基づく形状を成す第１の保持部材に対応する形状を成すと共に、
前記被貼付部材に対して前記第１の貼付部材の後に、前記第１の貼付部材に重ねられて貼り付ける第２の貼付部材の貼付位置に基づく形状を成す第２の保持部材に対応する形状を成し、
前記第１の位置決め手段は、前記第１及び第２の保持部材を、固定的に保持可能とする
ことを特徴とする請求項１４ないし１９の何れか一記載の生産治具。
【請求項２１】
前記第１及び／又は第２の薄型貼付部材の第２の接着面から、前記第１及び／又は第２の保持部材を所定の方向に剥がすときの剥離開始位置となる接着面の端部に、非接着部を設けると共に、前記保持部材を剥がす方向を示す
ことを特徴とする請求項１４ないし２０の何れか一記載の生産治具。
【請求項２２】
請求項２１に記載の前記第１及び／又は第２の保持部材であって、
前記第１及び／又は第２の薄型貼付部材から剥がされる方向を、作業者に認知可能に記載又は成形される
ことを特徴とする情報処理装置に用いられる薄型貼付部材の保持部材。
【請求項２３】
請求項１ないし１１に記載された貼付方法を用いて、静電気対策部材又はＥＭＩ対策部材である貼付部材を貼り付けて製造された情報処理装置。
【請求項２４】
マニュファクチュアリングによる製造の一工程である貼付部材の組み付け工程に割当てる作業割当時間を、請求項１ないし１１に記載された貼付方法を用いることによって、規定可能とする作業時間策定方法。
【発明の詳細な説明】
【技術分野】
【０００１】
本発明は、被貼付部材に対する組み付け作業が困難な貼付部材の貼付方法に関し、詳しくは、生産治具に因る作業精度の向上と、安定した薄型貼付部材の組付工法の確立に関する。
【背景技術】
【０００２】
多くの情報処理装置において小型化および高機能化が進み、情報処理装置の多くの製造工程で複雑且つ精度を求められるようになっている。  
また、情報処理装置の製造工程のなかで、筐体部品や構造部品などに対して、多くのシート状部材やテープ状部材が粘着材（接着剤）を用いて組み付けられている。  
このようなシート状部材やテープ状部材は、厚さが薄くやわらかい素材で構成されたものが多く、加えて、昨今の情報処理装置の設計において、部材の更なる薄型化が進められている。
【０００３】
情報処理装置の組み付け作業工程では、一般的に貼付部材の被貼付部材との接着面に、両面テープの貼付又は接着剤が塗布されて、その上に離着可能な保護シート（台紙）が貼り付けられており、その接着面の保護シートを組立作業で剥がして、被貼付部材に貼り付けられる。この時、上記シート状部材では、被貼付部材までのハンドリング時に薄すく軟らかい為、貼付部材が寄ったり弛んだりして、貼り付けたい規定の組立基準位置に合わす事が困難である。
【０００４】
上記貼付部材には、例えば、テフロン（登録商標）テープ、ＰＥＴテープ、絶縁テープ、銅テープ、導電シート、フェライトシートやガスケット、バスタレイド（登録商標）と呼ばれる電波吸収帯などが挙げられる。  
上記テフロンテープやＰＥＴテープは、部品や電線の固定する場合や、絶縁シートとして使用する場合などがある。  
また、絶縁シートや銅テープ、導電シートは、静電気対策に用いられ、また、電波吸収帯と合わせてＥＭＩ（Electro Magnetic Interference）対策に用いられる。  
尚、静電気対策やＥＭＩ対策では、試作設計後に試験を行なうため、情報処理装置の初期設計に反映できずに、製造工程において付加的に上記部品を追加することもある。加えて、情報処理装置の後継機種開発などにおいて設計変更が加えられ、上記シート状部材の追加が求められることもある。これらのＥＭＩ対策や静電気対策においては、全数検査ができない為、組立精度のバラツキを生じさせるような複雑な箇所への対策部材の組み付けを避けて作業性の良い箇所のみで対策を行なっている。
【発明の概要】
【発明が解決しようとする課題】
【０００５】
マニュファクチャアにおいて、貼付部材は、厚さが薄くやわらかい素材のもので構成されているため、筺体部品に代表される被貼付部材に対する位置決めが困難である。  
このため、シート状部材に代表される薄型貼付部材の組み付けは、高い作業者スキルを必要とするため作業者ごとによる作業バラツキが大きく、安定した品質、貼付部材の組み付けに割当てる作業時間等の確定が困難であった。当該要因は、マニュファクチャアにおいて、組立精度のバラツキを生じさせ、且つ、時間に対する作業性を低下させ、延いては製品品質にも悪い影響を与える要因となりえる。
【０００６】
また、情報処理装置のＥＭＩ対策及び静電気対策においては、作業性の良い箇所のみで対策を行なっている為、設計の自由度が低く、加えて、クリティカルな場所への対策が行なえ無い場合がある。
【０００７】
また、昨今の情報処理装置の小型化によって、作業者の手（指）自体がとどかない位置にシート状部材を貼り付ける必要性が生じ始めた。
【０００８】
加えて、厚さが薄く、人間では、被貼付部材への精度を維持した貼り付けが行なえない部材が開発されており、加えて、今後の厚さが極めて薄い薄型貼付部材への製造技術の開発を行なう必要がある。
【０００９】
本発明は、上記課題に鑑みて成されたものであり、情報処理装置のマニュファクチュアリングによる製造時に、被貼付部材に貼付部材を精度よく安定的に短時間で貼り付けられる貼付方法の提供を目的とする。  
また、本発明の別の目的は、ＥＭＩ対策及び静電気対策の自由度を確保可能とする情報処理装置の製造方法の提供を目的とする。
【課題を解決するための手段】
【００１０】
本発明の情報処理装置製造時における貼付部材の貼付方法は、被貼付部材への接着面と、前記被貼付部材への貼付位置に基づく形状で成形された保持部材と接着している接着面とを有する貼付部材と、前記保持部材の載置位置を定める第１の位置決め手段と、前記被貼付部材の前記貼付部材に対する貼付位置までのガイドとなる第２の位置決め手段とを有する治具とを用いて、前記治具に、前記第１の位置決め手段を使用して、前記貼付部材ごと前記保持部材を載置し、前記治具に、前記第２の位置決め手段を使用して、前記被貼付部材を貼付完了位置まで押しつけ、前記治具から前記貼付部材ごと前記被貼付部材を外して保持部材を除去することを特徴とする。
【発明の効果】
【００１１】
本発明によれば、情報処理装置製造時に、被貼付部材に貼付部材を精度よく安定的に短時間で貼り付けられる貼付方法を提供できる。  
また、本発明によれば、ＥＭＩ対策及び静電気対策の自由度を確保可能とする情報処理装置の製造方法を提供できる。
【図面の簡単な説明】
【００１２】
【図１】一般的な薄型貼付部材の荷姿設計を説明する概略図である。
【図２】第１実施の形態における薄型貼付部材の荷姿設計を説明する概略図である。
【図３】生産治具の寸法設計を説明する概略図である。
【図４】生産治具を用いた貼付工程を示した作業フローを示す工程図である。
【図５】生産治具を用いた貼付工程を説明する図である。
【図６】第２の工程の途中の状態を示す説明図である。
【図７】第３の工程の途中の状態を示す説明図である。
【図８】保持部材と薄型貼付部材との接着面を例示する概略図である。
【図９】第２の実施の一形態を説明する概略図である。
【図１０】第３の実施の一形態を説明する概略図である。
【図１１】第４の実施の一形態を説明する概略図である。
【図１２】第５の実施の一形態を説明する概略図である。
【図１３】実施例における筐体部品への貼付部品の組込み設計を示す説明図である。
【図１４】実施例における保持部材を示す説明図である。
【図１５】実施例における生産治具を示す説明図である。
【図１６】実施例におけるキャリアシートを示す説明図である。
【図１７】本発明における筐体部品への複数の薄型貼付部品の貼り付けを例示する説明図である。
【発明を実施するための形態】
【００１３】
本発明の実施の一形態を図１乃至図８に基づいて説明する。尚、図面は、図を明瞭とするため、細部を簡略化又は省略する。
【００１４】
図１は、一般的な薄型貼付部材１０の荷姿設計を説明する概略図である。  
通常、薄型貼付部材１０の荷姿は、図１（ａ）に示す様に、被貼付部材１００への接着面となる薄型貼付部材１０の片面に、両面テープを貼り付けるか又は接着剤を塗布する接着部２０を設け、当該接着面を保護する台紙３０を貼り付けられて構成されている。また、台紙３０には、多くの薄型貼付部材１０が貼り付けられ、作業時に必要なだけの薄型貼付部材１０が剥がされて図１（ｂ）に例示するように貼り付けられる。
【００１５】
通常行なわれている被貼付部材１００に薄型貼付部材１０を貼り付ける手作業では、図１（ｂ）に示す様に、薄型貼付部材１０の端部を貼り付けないで気中に出したように貼り付けることや、極僅かの隙間を空けて貼り付けることは、相当の技能を有する作業者によらなければ、不可能である。また、相当の技能を有する作業者であっても、その貼り付け精度を、設計で求められる精度内に収めるのは至難の業であり、組付制度と作業時間が安定しない。  
尚、被貼付部材１００および薄型貼付部材１０の寸法形状、貼り付け位置、貼り付け精度は任意の設計事項である。
【００１６】
図２は、本実施の形態における薄型貼付部材１０の荷姿設計を説明する概略図である。  他方、本実施の形態では、薄型貼付部材１０の被貼付部材１００への貼り付けにあたり、所望の厚さと硬さを持たせるための荷姿設計を行う。即ち、図２に示す様に、通常構成している３つの要素に加え、作業者の保持やハンドリングが可能なように、適度な硬度と厚さを有する保持部材４０を薄型貼付部材１０に付加して薄型貼付部材１０の荷姿設計を行なう。
【００１７】
保持部材４０は、薄型貼付部材１０の被貼付部材１００への接着面の反対面に構成し、例えば、「保持部材−両面テープ（接着層）−薄型貼付部材−両面テープ（接着層）−台紙」の順序で構成する。  
保持部材４０は、被貼付部材１００への薄型貼付部材１０の貼付位置に基づく形状で成形され、作業者によって、被貼付部材１００に薄型貼付部材１０ごと貼り付けられ、その後、保持部材４０のみが剥がされることで、被貼付部材１００に薄型貼付部材１０を組み込むときの位置決めにも使用される。  
保持部材４０と薄型貼付部材１０との接着は、離隔容易な両面テープ又は接着材、微粘着シート等で、接着部５０を構成して行なう。接着力（粘着力）は、薄型貼付部材１０と被貼付部材１００との接着力より弱い接着力とする。  
接着部５０の接着力の調整には、微粘着シート等の接着力を、薄型貼付部材１０と被貼付部材１００を貼り付ける両面テープなどよりも弱くすれば良い。また、それぞれの接着面の面積を考慮して、少ない接着面として接着力を弱くしても良い。
【００１８】
また、保持部材４０には、後述する生産治具６０の形状に合わせ、生産治具に乗せ置く位置を一定に定められる形状を有する。  
例えば、生産治具と保持部材との位置決めを、ピンなどの突起で行なう場合には、生産治具にピンを立て、保持部材にピンの径と同一の穴を開ける。また、生産治具と保持部材との嵌め合いで行なう場合には、保持部材の外形と生産治具の載置面の形状を合わせて、生産治具に対して保持部材が固定的に保持可能とすれば良い。
【００１９】
次に、生産治具６０を説明する。生産治具６０は、各々の部材の位置合わせと貼付を同時的に行い製造工程に使用する。  
図３は、生産治具６０の寸法設計を説明する概略図である。生産治具６０には、保持部材４０の載置位置を定めると共に、保持部材４０の載置状態を固定的に保持可能とする位置決め部７０を設ける。  
また、生産治具６０には、保持部材４０を載置した場合に、設計された保持部材４０と薄型貼付部材１０との貼り付け位置関係から定まる生産治具６０に対する薄型貼付部材１０の位置に基づいて、被貼付部材１００に対する薄型貼付部材１０の貼り付け完了位置を想定した被貼付部材１００の生産治具に対する貼付完了位置を求め、求めた位置まで、被貼付部材１００をガイドする位置決め部８０を設ける。
【００２０】
ここでガイドとは、一般的な作業者を考慮して、組み立てる情報処理装置の組立精度（被貼付部材１００に対する薄型貼付部材１０の貼付精度）と貼付時間を満足できるように、面に当接させたて押し下げたり、所定の精度で開けられた穴や溝を用いて移動させたりすることを指す。
【００２１】
位置決め部７０間および位置決め部８０間の寸法形状は、上述の通り、保持部材４０および被貼付部材１００の構造で定まる。換言すれば、被貼付部材１００に対する薄型貼付部材１０の貼り付け位置の寸法から定まる。  
尚、図示した位置決め部７０および位置決め部８０の形状は、例示したものであり、被貼付部材１００および薄型貼付部材１０の寸法形状、貼り付け位置、貼り付け精度によって変化する。また、断面図を用いて平面的に説明しているが、被貼付部材１００及び薄型貼付部材１０の立体形状に基づいて、立体的に、生産治具６０及び保持部材４０の設計を行なう。  
以上の手段により、本発明は、組付作業が困難な薄型貼付部材を被貼付部材に精度良く安定的に貼り付けられる作業工程を確立する。
【００２２】
次に、上記生産治具６０を用いて、被貼付部材１００に荷姿設計された薄型貼付部材１０を組み付ける作業工程を説明する。  
図４は、生産治具６０を用いた貼付工程を示した作業フローを示す工程図である。図５は、生産治具６０を用いた貼付工程を説明する図である。図６は、第２の工程の途中の状態を示す説明図である。図７は、第３の工程の途中の状態を示す説明図である。
【００２３】
作業工程は、生産治具６０、被貼付部材１００および薄型貼付部材１０を準備して開始する。  
まず、作業者によって、生産治具６０に、台紙３０が剥がされた薄型貼付部材１０を、被貼付部材１００との接着面を上に向けて、保持部材４０に設けられている位置決め形状と位置決め部７０を使用して乗せる（第１の工程）。
【００２４】
次に、図６に示すように、生産治具６０に、位置決め部８０と被貼付部材１００の内側面を使用して、被貼付部材１００を上方から下方に下げて所定の貼付完了位置まで押し付ける（第２の工程）。  
当該第２の工程によって、生産治具６０および保持部材４０によって支えられた薄型貼付部材１０の上方の接着面（接着部２０）が、被貼付部材１００から押下され、生産治具６０および保持部材４０の寸法に基づいて、被貼付部材１００に精度良く設計された位置に貼り付つく。  
尚、位置決め部８０は、生産治具６０を被貼付部材１００の形状に対応させて作成するにあたって、図示したように被貼付部材１００の内側面を用いるようにしても良いし、被貼付部材１００の外側面を用いるようにしても良い。また、被貼付部材１００の外側面と内側面の組合せを用いても良い。
【００２５】
次に、図７に示すように、生産治具６０から、被貼付部材１００及び薄型貼付部材１０を外して  薄型貼付部材１０の下方の接着面（接着部５０）から保持部材４０を取り除く（第３の工程）。
【００２６】
尚、上記３工程は、１人の作業員で行なっても良いし、副数人の作業員にて行なっても良い。
【００２７】
また、保持部材４０の除去は、作業者によって被貼付部材１００（薄型貼付部材１０）から剥がせばよい。このとき、作業者によって保持部材４０を剥がす方向を規定することが望ましい。  
これは、保持部材４０を剥がす方向によって、被貼付部材１００に貼りついている薄型貼付部材１０が剥がれやすかったり、貼りついている薄型貼付部材１０の貼り付き状態（形状）を変えてしまうことがあるためである。
【００２８】
また、薄型貼付部材１０の保持部材４０と接着している接着面に、薄型貼付部材１０及び保持部材４０の剥離開始位置となる端部（接着部５０の端部）に、規定された保持部材４０を剥がす方向から定まる接着面に塗布する微粘着材を塗布しない非接着部（非塗布部）を設けて、薄型貼付部材１０の接着面から保持部材４０を剥がしやすくしても良い。また、両面テープを用いる場合には、両面テープを成形して非接着部を設けても良い。また、非接着部は、図８に示すように、剥がれ易い形状に成形してしても良い。
【００２９】
また、更に作業時間を短縮したい場合には、生産治具６０から保持部材４０を取り外す力を、薄型貼付部材１０と保持部材４０との接着力より強い力に、設定して、生産治具６０から被貼付部材１００を外すと同時的に保持部材４０が剥がれて生産治具６０に残るようにしても良い。  
生産治具６０から保持部材４０を取り外す力の調節には、接触面に複数回離着可能な両面テープを配置しても良いし、吸盤を使用しても良いし、グリス等の粘着材を用いても良いし、突起に反しを設けても良い。
【００３０】
以上の説明したように、本実施の形態によれば、組立困難な作業を容易化し、これにより組立品質の安定化、および組立作業時間の短縮可能となる。
【００３１】
次に、複数の図を示し、他の実施の一形態を説明する。  
図９は、第２の実施の一形態を説明する概略図である。第２の実施の一形態で用いられる生産治具６０及び保持部材４０は、被貼付部材１１０の形状及び薄型貼付部材１０の貼り付け位置等の寸法に基づいた形状を成す。
【００３２】
尚、第２の実施の一形態では、被貼付部材１１０に貼り付ける薄型貼付部材１０の貼付位置が、開口部の内側にあり、通常の作業者では、貼付が困難な位置にある。  
このような場合でも、生産治具６０に、被貼付部材１１０の形状に合わせ、保持部材４０の載置位置を固定的に定める第１の位置決め手段と、被貼付部材１１０の貼付部材１０に対する貼付位置までのガイドとなる第２の位置決め手段とを設けることで、正確かつ安定的に、貼付部材１０を被貼付部材１１０に貼り付けられる。
【００３３】
本実施の一形態の第２の位置決め手段となる生産治具６０の形状は、図示するように右側の被貼付部材１１０の外側面と当接する部分と、左側の被貼付部材１１０に内側面と当接する部分である。  
このように第２の位置決め手段が形成されている場合の第２の工程は、作業者が、生産治具６０に、第２の位置決め手段と被貼付部材１１０の内外側面を使用して、被貼付部材１１０を左側から第２の位置決め手段に当接させた後に下方の所定の貼付完了位置まで押し付ける。
【００３４】
上記説明したように、被貼付部材１１０に貼り付ける薄型貼付部材１０の貼付位置が貼付に困難な場所であっても、図示する生産治具６０及び保持部材４０を用いることで、被貼付部材１１０に精度良く設計された位置に薄型貼付部材１０が貼り付つく。  
また、生産治具６０は、横に立てて使用しても良く、第２の実施の一形態の場合は、右側に９０度回転させて使用することで、作業効率が上がる。
【００３５】
図１０は、第３の実施の一形態を説明する概略図である。第３の実施の一形態で用いられる生産治具６０及び保持部材４０は、被貼付部材１２０の形状及び薄型貼付部材１１の貼り付け位置等の寸法に基づいた形状を成す。薄型貼付部材１１は、ループ形状をしており、図の右側と左側の薄型貼付部材１１は同一部品である。
【００３６】
第３の実施の一形態では、被貼付部材１２０に貼り付ける薄型貼付部材１１の貼付位置が、被貼付部材１２０の内側面からせり出した複数の受手１２１の内部であり、通常の作業者では、薄型貼付部材１１を均一に貼り付けることは困難である。  
このような場合でも、生産治具６０に、被貼付部材１２０の形状に合わせ、保持部材４０の載置位置を固定的に定める第１の位置決め手段と、被貼付部材１２０の貼付部材１１に対する貼付位置までのガイドとなる第２の位置決め手段とを設けることで、正確に、貼付部材１１を被貼付部材１２０に貼り付けられる。
【００３７】
本実施の一形態の第１の位置決め手段となる生産治具６０の形状は、図示するように、左右の受手１２１近傍に設けられたピンと略中央に設けられた保持部材４０を嵌め合いによって固定する突部７１である。また、第２の位置決め手段となる生産治具６０の形状は、図示するように左右の被貼付部材１２０に外側面と内側面に当接するテーパ形状の部分である。
【００３８】
このように第２の位置決め手段が形成されている場合の第２の工程は、作業者が、生産治具６０に、第２の位置決め手段と被貼付部材１２０の内外側面を使用して、被貼付部材１２０を上側から第２の位置決め手段に当接させながら所定の貼付完了位置まで押し付ける。  
上記説明したように、被貼付部材１２０に貼り付ける薄型貼付部材１１の貼付位置が貼付に困難な場所であっても、図示する生産治具６０及び保持部材４０を用いることで、被貼付部材１２０に精度良く設計された位置に薄型貼付部材１１が貼り付つく。
【００３９】
図１１は、第４の実施の一形態を説明する概略図である。第４の実施の一形態で用いられる生産治具６０及び保持部材４１は、被貼付部材１３０の形状及び薄型貼付部材１０の貼り付け位置等の寸法に基づいた形状を成す。薄型貼付部材１０は、被貼付部材１３０の内曲面の３箇所に貼り付けられる。
【００４０】
第４の実施の一形態では、被貼付部材１３０に貼り付ける薄型貼付部材１０の貼付位置が、被貼付部材１３０の曲面に合わせて何らマーキングの無い位置であり、また、通常の作業者では、薄型貼付部材１０を均一に貼り付けることは困難である。  
このような場合でも、生産治具６０に、被貼付部材１３０の形状に合わせ、保持部材４１の載置位置を固定的に定めるアーチ形状の第１の位置決め手段と、被貼付部材１３０の貼付部材１１に対する貼付位置までのガイドとなる第２の位置決め手段とを設けることで、正確に、貼付部材１１を被貼付部材１２０に貼り付けられる。
【００４１】
本実施の一形態の第２の位置決め手段となる生産治具６０の形状は、図示するように被貼付部材１３０に側面に左右で当接している部分である。
【００４２】
このように第２の位置決め手段が形成されている場合の第２の工程は、作業者が、生産治具６０に、第２の位置決め手段と被貼付部材１３０の側面を使用して、被貼付部材１３０を上側から第２の位置決め手段に当接させながら所定の貼付完了位置まで押し付ける。
【００４３】
上記説明したように、被貼付部材１３０に貼り付ける薄型貼付部材１０の貼付位置が位置決めマーキングの無い中心部分や曲面であって貼付に困難な場所であっても、図示する生産治具６０及び保持部材４１を用いることで、被貼付部材１３０に精度良く設計された位置に薄型貼付部材１０が貼り付つく。  
尚、保持部材４１を、生産治具６０載置面に置かれたときに、曲面上に設けられた第１の位置決め手段を用いて載置面に張り付く形状としても良い。
【００４４】
図１２は、第５の実施の一形態を説明する概略図である。  
第５の実施の一形態で用いられる生産治具６０は、被貼付部材１４０の形状及び薄型貼付部材１０の貼り付け位置等の寸法に基づいて、保持部材４０の載置面６１を、被貼付部材１４０の内側に挿入可能な縮小形状（図１２（ａ）参照）と、薄型貼付部材１０を被貼付部材１４０に貼り付ける位置に配置する展開形状（図１２（ｂ）参照）とに可動可能に形成する。載置面６１は、操作レバー（図示せず）の作業者の操作に連動して稼動する。また、保持部材４０を載置位置に保持する第１の位置決め手段として、押さえバー６２を有する。薄型貼付部材１０は、被貼付部材１４０の内側に２箇所に貼り付けられる。
【００４５】
第５の実施の一形態では、被貼付部材１４０に貼り付ける薄型貼付部材１０の貼付位置が、被貼付部材１４０の内側であり、通常の作業者では、薄型貼付部材１０を均一に貼り付けることは困難である。  
このような場合でも、生産治具６０に、被貼付部材１４０の形状に合わせ、保持部材４０の載置位置を縮小形状と展開形状の何れでも固定的に定める第１の位置決め手段と、展開形状において被貼付部材１４０の貼付部材１０に対する貼付位置までのガイドとなる第２の位置決め手段とを設けることで、正確に、貼付部材１０を被貼付部材１４０に貼り付けられる。
【００４６】
本実施の一形態の第２の位置決め手段となる生産治具６０の形状は、図示するように被貼付部材１４０の外側面に当接する部分である。  
保持部材４０は、生産治具６０載置面に置かれた後、縮小形状において折り曲げられるので、折曲がり易いように折り目や切り込みを入れておいても良い。
【００４７】
このように生産治具６０の保持部材４０の載置面を可動可能に形成されている場合、第１の工程では、作業者が、生産治具６０を展開形状の載置面６１に保持部材４０を載置して押さえバー６２で保持部材４０を押さえる。  
第２の工程では、作業者が操作レバーを操作して、生産治具６０を展開状態から縮小状態に載置面６１を可動させ、その後、縮小形状からの状態で被貼付部材１４０を上側から下げて、載置面６１を内側に挿入した状態で、縮小状態から展開状態に載置面６１を可動させて、被貼付部材１４０を下側に第２の位置決め手段に当接させながら所定の貼付完了位置まで押し付ける。
【００４８】
上記説明したように、被貼付部材１４０に貼り付ける薄型貼付部材１０の貼付位置が筐体の内部などの貼付に困難な場所であっても、図示する生産治具６０及び保持部材４０を用いることで、被貼付部材１４０に精度良く設計された位置に薄型貼付部材１０が貼り付けられる。
【００４９】
次に、携帯電話装置の筺体部品（ハウジング）に薄型貼付部材である補強部品を貼り付ける実施例を示し、本発明を説明する。
【００５０】
図１３は、実施例における筐体部品への貼付部品の組込み設計を示す説明図である。携帯電話装置の設計において、前面筺体部品の強度の増加させる為に、厚さ５０μmの補強部品を付加する設計を行いたいとする。このような薄型貼付部材を採用することで、プラスチックの筐体の剛性を保ちつつ全体として薄型化が可能となる。
【００５１】
図１３に示した設計では、貼付部材の片面に設けられている接着部（両面テープ）を用いて、筺体部品に薄型貼付部材を落とし込むことで、薄型貼付部材を組み込む構造となっている。また、薄型貼付部品と筺体部品との組み込み精度は±０．１ｍｍが設計上に規定されたとする。当該組み込み精度を維持しつつ、短時間で筐体に薄型貼付部材を組み込むことは、一般的な作業者にとって至難である。
【００５２】
そこで、当該実施例では、次に記載する保持部材と生産治具を設計して用いる。  
図１４は、実施例における保持部材を示す説明図である。まず、補強部品に図１４に示すように保持部材としてのキャリアシートを予め接着する。キャリアシートの材質は、厚さ０．２ｍｍのＰＥＴ材を用いる。キャリアシートには、図に示すように、筺体部品と補強部品との貼り付け位置に基づいて、生産治具の位置決め手段に対応した、位置合わせ穴を設ける。  
また、キャリアシートに微粘着材を塗布し、補強部品へ接着することでハンドリング可能に構成する。微粘着シートの粘着力は、補強部品と筺体部品を貼り付ける両面テープよりも弱いものとする。これにより、キャリアシートを容易に引き剥がすことが可能になり、補強部品を筺体部品に貼り付けた後、キャリアシートを剥がすことによって、補強部品と筺体部品との貼付が剥がれることを防止できる。  
上記のように補強部品にキャリアシートを設けることによって、補強部品に厚さと硬さを持たせることが可能となり、作業者のハンドリングを容易化できる。
【００５３】
次に、生産治具を作成する。この時、組み込み精度±０．１ｍｍを確保した寸法関係に設計する。  
図１５は、実施例における生産治具を示す説明図である。図１５は、生産治具に筐体部品、補強部品およびキャリアシートが裁置された状態を上方から示している。また、筐体部品に隠れて視認不可能な補強部品およびキャリアシートを、説明のために筐体部品を透過して示している。
【００５４】
生産治具には、図１５に示すように、筺体部品の形状と補強部品の組み込み位置に基づいて設計された台座（裁置面）が設けられ、当該台座にキャリアシートの位置決め穴を用いてキャリアシートを保持する突起が設けられている。また、筺体部品の形状を利用して、筺体部品を落とし込むガイドとなる筐体位置固定部が設けられている。尚、台座の形状を筐体位置固定部の一部としてもちいても良い。
【００５５】
上記生産治具とキャリアシートを用いて、筐体部品に補強部品を貼り付ける作業工程は、以下となる。  
補強部品（薄型貼付部材）を台紙から剥がして掴み（この時、キャリアシート−補強部品−両面テープの構成となる）、薄型貼付部材（キャリアシート）を位置決め穴に合わせ生産治具の台座上に置く（第１の工程）。  
筺体部品を生産治具の筐体位置固定部をガイドとして落とし込むと同時的に、筺体部品を台座に押し付け、補強部品を筺体部品に貼り付ける（第２の工程）。  
補強部品を貼った筺体部品を生産治具から取り外して、薄型貼付部材に構成されているキャリアシートを剥がす（第３の工程）。
【００５６】
以上のように薄型貼付部材にハンドリングや生産治具での位置合わせを考慮した設計を加えることで、生産工程での困難な組立作業を実現して、設計の自由度を確保している。
【００５７】
次に、薄型貼付部材を複数枚重ねる実施例を説明する。  
携帯電話装置等の設計において、電波対策部品として薄型貼付部材であるバスタレイド（電波吸収帯）を、薄型貼付部材である補強部品と筐体部品との間に精度良く配置したいとする。このような、貼付部材上に貼付部材を貼り付ける工程は、高度な製造技術を必要として、一般的にこのような設計は採択されない。他方、設計としては、製造上の課題のためにクリティカルな場所への対策を行なえ無いこととなり、解決の為に、余計な部材や、設計の見直しを要求される。  
そこで、本実施例では、筐体部品の強度の増加に加えて、ＥＭＩ対策を行なうために、筐体部品に精度良くバスタレイドを貼り付け、加えて、バスタレイドに重ねて精度良く補強部品を貼り付ける作業工程を説明する。
【００５８】
上記実施例と同様に、補強部品に保持部材としてのキャリアシートを予め接着する。キャリアシートには、筺体部品と補強部品との貼り付け位置に基づいた、生産治具の位置決め手段に対応した、位置合わせ穴を設ける。また、キャリアシートに微粘着材を塗布し、補強部品へ接着することでハンドリング可能に構成する。
【００５９】
次に、バスタレイドに保持部材としてのキャリアシートを予め接着する。キャリアシートには、筺体部品とバスタレイドとの貼り付け位置に基づいた、生産治具の位置決め手段に対応した、位置合わせ穴を設ける。また、キャリアシートに微粘着材を塗布し、バスタレイドへ接着することでハンドリング可能に構成する。
【００６０】
それぞれのキャリアシートには、図１６（ａ）及び（ｂ）に例示する様に、薄型貼付部材から剥がされる方向を、作業者に認知可能に記載又は成形することが望ましい。また、筐体部品を生産治具から外す方向を治具に成形しても良い。これは、製造工程における組立精度および作業時間の均一性を図るためである。  
また、薄型貼付部材の接着面からキャリアシートを所定の方向に剥がすときの剥離開始位置となる端部に、接着面に塗布する微粘着材を塗布しない非接着部を設けた場合には、非接着部方向から作業者に剥がさせるために、示すことが可能となる。また、保持部材を剥がす方向を治具に示すようにしても良い。
【００６１】
次に、生産治具を作成する。生産治具には、筺体部品の形状と、バスタレイド及び補強部品の組み込み位置に基づいて、台座（裁置面）を設計し、当該台座にキャリアシートの位置決め穴を用いてキャリアシートを保持する突起を設ける。また、生産治具に、筐体部品を貼り付け完了位置までのガイドを設ける。  
尚、台座に設けるキャリアシートの位置決め手段は、それぞれのキャリアシートの毎に設けても良いし、共通に使用可能なように設けても良い。
【００６２】
上記生産治具と複数のキャリアシートを用いて、筐体部品にバスタレイド及び補強部品を貼り付ける作業工程は、以下となる。  
生産治具に、キャリアシートの位置決め手段を使用して、先に貼り付けるバスタレイドごとバスタレイド用のキャリアシートを載置し、筐体部品の位置決め手段を使用して、筐体部品を貼付完了位置まで治具に押し付け、生産治具から筐体部品を外して、バスタレイド用のキャリアシートを除去する。  
次に、後から貼り付ける補強部品ごと補強部品用のキャリアシートを載置し、筐体部品の位置決め手段を使用して、筐体部品を貼付完了位置まで治具に押し付け、生産治具から筐体部品を外して、補強部品用のキャリアシートを除去する。
【００６３】
このように、２度同様な作業工程を繰返すことによって、補強部品を、バスタレイドに重ねて筐体部品に組み込むことが可能となる。同様に３度繰返せば、３枚の薄型貼付部材を貼り付けることも可能となる。  
また、図１７に例示するように、複数の薄型貼付部品を重ね、且つ、一部をずらしてそれぞれ筐体部品に貼り付けることも可能となる。  
また、静電気対策の場合もＥＭＩ対策と同様に、付加的に静電気対策部材を貼り付けることで可能となる。
【００６４】
以上の説明したように、本発明によれば、組み付け困難な作業を容易化し、これにより組み込み品質及び組み込み時間の安定化、組立作業時間の短縮が可能となる。また、複数の薄型貼付部品を貼り付けたとしても、先に貼り付けた部材を変形させずに組み込める。  即ち、本発明によれば、情報処理装置のマニュファクチュアリングによる製造時に、被貼付部材に貼付部材を精度よく安定的に短時間で貼り付けられる貼付方法を提供できる。  また、本発明によれば、ＥＭＩ対策及び静電気対策等の自由度を確保可能とする情報処理装置の製造方法を提供できる。  
また、作業者毎および作業毎の貼付部材の組み込み時間のバラツキが少なくなる為、貼付部材の組み付け工程に割当てる作業割当時間の予測が可能となり、製造時の当該工程に対する作業時間を策定できる。
【００６５】
尚、本発明の具体的な構成は前述の実施の形態及び実施例に限られるものではなく、この発明の要旨を逸脱しない範囲の変更があってもこの発明に含まれる。
【産業上の利用可能性】
【００６６】
本発明によれば、薄型貼付部材を使用する情報処理器機の製造や保守、修繕時に、作業時間の短縮、安定化が図れる。特に、小型の筐体部品内部へのテープ材等の貼付に、効果的である。  
また、情報処理装置の設計時に、薄型貼付部材の設計標準化及びこれに適合した治具設計基準の制定に用いれる。
【符号の説明】
【００６７】
１０    薄型貼付部材
２０    接着部
３０    台紙
４０    保持部材
５０    接着部
６０    生産治具（台座）
７０    位置決め部（第１の位置決め手段）
８０    位置決め部（第２の位置決め手段）
１００  被貼付部材
【図１】
2010241865.tif 000003
【図２】
2010241865.tif 000004
【図３】
2010241865.tif 000005
【図４】
2010241865.tif 000006
【図５】
2010241865.tif 000007
【図６】
2010241865.tif 000008
【図７】
2010241865.tif 000009
【図８】
2010241865.tif 000010
【図９】
2010241865.tif 000011
【図１０】
2010241865.tif 000012
【図１１】
2010241865.tif 000013
【図１２】
2010241865.tif 000014
【図１３】
2010241865.tif 000015
【図１４】
2010241865.tif 000016
【図１５】
2010241865.tif 000017
【図１６】
2010241865.tif 000018
【図１７】
2010241865.tif 000019